(57)【要約】  【課題】  通話路系パッケージに割当てられたハイウェイおよび通話回路に割当てられたタイムスロットを監視し、基本通話系パッケージに専用のハイウェイを設けず、必要とされるタイムスロット数のハイウェイを検出して基本通話系パッケージに割当て可能な通話路制御装置を提供する。  【解決手段】  送信ハイウェイ番号ＳＨＷ０〜ＳＨＷ３の送信ハイウェイおよび受信ハイウェイ番号ＲＨＷ０〜ＲＨＷ３の受信ハイウェイに接続し、通話路系パッケージ８が未搭載の送信ハイウェイおよび送信ハイウェイを選択するハイウェイ選択手段６と、電子交換機１に必須のＰＢ受信器などの基本通話系パッケージ７を備える。【選択図】  図１
2006100946.tif 000002
【特許請求の範囲】
【請求項１】
電子交換機の時分割スイッチのハイウェイを複数の通話路系パッケージに搭載された複数の通話路装置に接続する選択を制御する通話路制御装置であって、
前記電子交換機に基本搭載される基本通話路系パッケージと、前記基本通話路系パッケージが使用するハイウェイを選択して接続するハイウェイ選択手段と、を備えたことを特徴とする通話路制御装置。
【請求項２】
前記ハイウェイ選択手段は、通話路モジュールに搭載されない前記通話路系パッケージに割当てられたハイウェイ番号のハイウェイを選択して前記基本通話路系パッケージに接続することを特徴とする請求項１記載の通話路制御装置。
【請求項３】
前記ハイウェイ選択手段は、通話路モジュールに全ての前記通話路系パッケージが搭載されている場合、対象となるハイウェイ番号から空きのタイムスロット番号を検出し、検出した空きのタイムスロット番号が割当てられたハイウェイ番号を選択して前記基本通話路系パッケージに接続することを特徴とする請求項１記載の通話路制御装置。
【請求項４】
前記ハイウェイ選択手段は、空きのハイウェイ番号および空きのタイムスロット番号を検出する検出手段、前記検出手段が検出したハイウェイ番号およびタイムスロット番号に基づいて送信ハイウェイおよび受信ハイウェイを選択する選択手段、前記検出手段が検出した空きのハイウェイ番号および空きのタイムスロット番号を記憶する記憶手段、選択の動作およびシーケンス動作を制御する選択制御手段を備えたことを特徴とする請求項１、請求項２または請求項３記載の通話路制御装置。
【請求項５】
前記検出手段は、空きハイウェイ番号を検出するハイウェイ検出手段と、使用されているハイウェイ番号の空きタイムスロット番号を検出するタイムスロット検出手段と、を備えたことを特徴とする請求項４記載の通話路制御装置。
【請求項６】
前記選択手段は、前記送信ハイウェイを選択する送信ハイウェイ選択手段と、前記受信ハイウェイを選択する受信ハイウェイ選択手段と、を備えたことを特徴とする請求項４記載の通話路制御装置。
【発明の詳細な説明】
【技術分野】
【０００１】
本発明は電子交換機に必須のＰＢ受信器などを搭載した基本通話系パッケージを接続するハイウェイに専用のハイウェイを設けず、空きタイムスロットがあるハイウェイを選択し、選択したハイウェイを基本通話系パッケージに接続して運用する通話路制御装置に関する。
【背景技術】
【０００２】
従来の電子交換機には、必須のＰＢ受信器などを搭載する基本通話系パッケージを専用のハイウェイに接続して運用するものが知られている。
【０００３】
このような電子交換機は、ハイウェイのハイウェイ番号に、接続される通話路系パッケージのパッケージ番号が対応して割当てられているとともに、通話路系パッケージに搭載される通話回路に、ハイウェイのタイムスロット番号が対応して割当てられている。
【０００４】
１つの通話モジュールには、パッケージ番号０〜７の８枚の通話系パッケージが搭載される搭載エリアがあり、それぞれの通話系パッケージには、最大３２個の通話回路が搭載可能なスペースがある。
【０００５】
ハイウェイは、時分割スイッチに入力されるバス構成の入ハイウェイと時分割スイッチから出力されるバス構成の出ハイウェイがあり、入ハイウェイおよび出ハイウェイには、上記の１通話モジュールを対象とする場合、それぞれ４本の送信ハイウェイＳＨＷ（ハイウェイ番号：ＳＨＷ０〜ＳＨＷ３）および受信ハイウェイＲＨＷ（ハイウェイ番号：ＲＨＷ０〜ＲＨＷ３）が接続され、１本の送信ハイウェイおよび１本受信ハイウェイで２枚の通話路系パッケージがカバーされる。
【０００６】
１本の送信ハイウェイＳＨＷおよび１本の受信ハイウェイＲＨＷは、それぞれ６４タイムスロットを有し、タイムスロット番号（ＴＳ０〜ＴＳ６３）が割当てられる。
【０００７】
時分割スイッチは、入ハイウェイの所定のタイムスロットのデータを出ハイウェイの所定のタイムスロットに出力するもので、回路構成上２のｎ乗ハイウェイ毎にスイッチ規模が増加する。
【０００８】
また、従来の電子交換機は、「特許文献１」（電子交換機のハイウェイ選択装置）に開示されているように、通話路系パッケージが使用するハイウェイ番号、タイムスロット番号は、中央処理装置の指定により割り付けられ、ハイウェイのタイムスロットに空きがないような使用が可能となるものである。
【特許文献１】特開平１０−２３５６８号公報
【発明の開示】
【発明が解決しようとする課題】
【０００９】
従来の電子交換機は、必須のＰＢ受信器などを搭載する基本通話系パッケージを設ける場合には、専用ハイウェイが必要とされ、通話路系パッケージに使用されるハイウェイが２のｎ乗（例えば、８本）全てが使用されている場合には、基本通話系パッケージで使用される１本の専用ハイウェイのために、新たに８本のハイウェイを増設しなければならず、７本のハイウェイが未使用となり、無駄になる課題がある。
【００１０】
また、「特許文献１」に開示された電子交換機でも、基本通話系パッケージを設け、専用ハイウェイが必要とされるケースでは、同様な課題がある。
【００１１】
この発明はこのような課題を解決するためになされたもので、その目的は通話路系パッケージに割当てられたハイウェイおよび通話回路に割当てられたタイムスロットを監視し、基本通話系パッケージに専用のハイウェイを設けず、必要とされるタイムスロット数のハイウェイを検出して基本通話系パッケージに割当て可能な通話路制御装置を提供することにある。
【課題を解決するための手段】
【００１２】
前記課題を解決するためこの発明に係る通話路制御装置は、電子交換機の時分割スイッチのハイウェイを複数の通話路系パッケージに搭載された複数の通話路装置に接続する選択を制御する通話路制御装置であって、電子交換機に基本搭載される基本通話路系パッケージと、基本通話路系パッケージが使用するハイウェイを選択して接続するハイウェイ選択手段とを備えたことを特徴とする。
【００１３】
この発明に係る通話路制御装置は、電子交換機に基本搭載される基本通話路系パッケージと、基本通話路系パッケージが使用するハイウェイを選択して接続するハイウェイ選択手段とを備えたので、複数の通話路系パッケージに割当てられるハイウェイおよび通話回路に割当てられるタイムスロットを監視し、必要なタイムスロット数のハイウェイを検出して基本通話路系パッケージに割当てることができる。
【００１４】
また、この発明に係るハイウェイ選択手段は、通話路モジュールに搭載されない通話路系パッケージに割当てられたハイウェイ番号のハイウェイを選択して基本通話路系パッケージに接続することを特徴とする。
【００１５】
この発明に係るハイウェイ選択手段は、通話路モジュールに搭載されない通話路系パッケージに割当てられたハイウェイ番号のハイウェイを選択して基本通話路系パッケージに接続するので、基本通話系パッケージに必要とされるハイウェイを選択し、確保することができる。
【００１６】
さらに、この発明に係るハイウェイ選択手段は、通話路モジュールに全ての通話路系パッケージが搭載されている場合、対象となるハイウェイ番号から空きのタイムスロット番号を検出し、検出した空きのタイムスロット番号が割当てられたハイウェイ番号を選択して基本通話路系パッケージに接続することを特徴とする。
【００１７】
この発明に係るハイウェイ選択手段は、通話路モジュールに全ての通話路系パッケージが搭載されている場合、対象となるハイウェイ番号から空きのタイムスロット番号を検出し、検出した空きのタイムスロット番号が割当てられたハイウェイ番号を選択して基本通話路系パッケージに接続するので、基本通話系パッケージに必要とされる空きタイムスロット数のハイウェイを選択し、確保することができる。
【００１８】
また、この発明に係るハイウェイ選択手段は、空きのハイウェイ番号および空きのタイムスロット番号を検出する検出手段、検出手段が検出したハイウェイ番号およびタイムスロット番号に基づいて送信ハイウェイおよび受信ハイウェイを選択する選択手段、検出手段が検出した空きのハイウェイ番号および空きのタイムスロット番号を記憶する記憶手段、選択の動作およびシーケンス動作を制御する選択制御手段を備えたことを特徴とする。
【００１９】
この発明に係るハイウェイ選択手段は、空きのハイウェイ番号および空きのタイムスロット番号を検出する検出手段、検出手段が検出したハイウェイ番号およびタイムスロット番号に基づいて送信ハイウェイおよび受信ハイウェイを選択する選択手段、検出手段が検出した空きのハイウェイ番号および空きのタイムスロット番号を記憶する記憶手段、選択の動作およびシーケンス動作を制御する選択制御手段を備えたので、基本通話系パッケージに必要とされる空きタイムスロット数があれば、基本通話系パッケージの接続されるハイウェイならびにタイムスロットを固定することなく、自動的に選択することができる。
【００２０】
さらに、この発明に係る検出手段は、空きハイウェイ番号を検出するハイウェイ検出手段と、使用されているハイウェイ番号の空きタイムスロット番号を検出するタイムスロット検出手段とを備えたことを特徴とする。
【００２１】
この発明に係る検出手段は、空きハイウェイ番号を検出するハイウェイ検出手段と、使用されているハイウェイ番号の空きタイムスロット番号を検出するタイムスロット検出手段とを備えたので、基本通話系パッケージに必要とされる空きタイムスロット番号とハイウェイ番号を特定することができる。
【００２２】
また、この発明に係る選択手段は、送信ハイウェイを選択する送信ハイウェイ選択手段と、受信ハイウェイを選択する受信ハイウェイ選択手段を備えたことを特徴とする。
【００２３】
この発明に係る選択手段は、送信ハイウェイを選択する送信ハイウェイ選択手段と、受信ハイウェイを選択する受信ハイウェイ選択手段を備えたので、複数の送信ハイウェイおよび複数の受信ハイウェイから基本通話系パッケージが接続するハイウェイを選択して接続することができる。
【発明の効果】
【００２４】
この発明に係る通話路制御装置は、電子交換機に基本搭載される基本通話路系パッケージと、基本通話路系パッケージが使用するハイウェイを選択して接続するハイウェイ選択手段とを備えたので、複数の通話路系パッケージに割当てられるハイウェイおよび通話回路に割当てられるタイムスロットを監視し、必要なタイムスロット数のハイウェイを検出して基本通話路系パッケージに割当てることができ、ハイウェイの有効利用を実現することができる。
【００２５】
また、この発明に係るハイウェイ選択手段は、通話路モジュールに搭載されない通話路系パッケージに割当てられたハイウェイ番号のハイウェイを選択して基本通話路系パッケージに接続するので、基本通話系パッケージに必要とされるハイウェイを選択し、確保することができ、ハイウェイを有効に使用することができる。
【００２６】
さらに、この発明に係るハイウェイ選択手段は、通話路モジュールに全ての通話路系パッケージが搭載されている場合、対象となるハイウェイ番号から空きのタイムスロット番号を検出し、検出した空きのタイムスロット番号が割当てられたハイウェイ番号を選択して基本通話路系パッケージに接続するので、基本通話系パッケージに必要とされる空きタイムスロット数のハイウェイを選択し、確保することができ、タイムスロットを有効に使用することができる。
【００２７】
また、この発明に係るハイウェイ選択手段は、空きのハイウェイ番号および空きのタイムスロット番号を検出する検出手段、検出手段が検出したハイウェイ番号およびタイムスロット番号に基づいて送信ハイウェイおよび受信ハイウェイを選択する選択手段、検出手段が検出した空きのハイウェイ番号および空きのタイムスロット番号を記憶する記憶手段、選択の動作およびシーケンス動作を制御する選択制御手段を備えたので、基本通話系パッケージに必要とされる空きタイムスロット数があれば、基本通話系パッケージの接続されるハイウェイならびにタイムスロットを固定することなく、自動的に選択することができ、各通話路系パッケージへ搭載する通話回路数を自由に設定して使い勝手の良さをアピールすることができる。
【００２８】
さらに、この発明に係る検出手段は、空きハイウェイ番号を検出するハイウェイ検出手段と、使用されているハイウェイ番号の空きタイムスロット番号を検出するタイムスロット検出手段とを備えたので、基本通話系パッケージに必要とされる空きタイムスロット番号とハイウェイ番号を特定することができ、基本通話系パッケージに割当てられるハイウェイおよびタイムスロットを自動的に確保することができる。
【００２９】
また、この発明に係る選択手段は、送信ハイウェイを選択する送信ハイウェイ選択手段と、受信ハイウェイを選択する受信ハイウェイ選択手段を備えたので、複数の送信ハイウェイおよび複数の受信ハイウェイから基本通話系パッケージが接続するハイウェイを選択して接続することができ、ハイウェイを通話路系パッケージと兼用してハイウェイの有効利用を図ることができる。
【発明を実施するための最良の形態】
【００３０】
以下、この発明の実施の形態を添付図面に基づいて説明する。なお、本発明は電子交換機に必須のＰＢ受信器などを搭載する基本通話路系パッケージが接続されるハイウェイに、専用ハイウェイを設けることなく、複数の通話路系パッケージに接続される複数のハイウェイの中から空きハイウェイを選択することにより、ハイウェイを効率的に使用するものである。
【００３１】
図１はこの発明に係る通話路制御装置が適用される電子交換機の一実施の形態ブロック構成図である。図１において、電子交換機１は、装置全体の動作を制御するとともに、シーケンス動作を制御するＣＰＵ（Central Processing Unit）およびメモリからなる制御装置２と、１ハイウェイ当たり６４タイムスロット多重された入力ハイウェイと出力ハイウェイ選択をスイッチングする時分割スイッチ３と、通話路モジュール５に搭載される複数の通話路系パッケージ８を制御する通話路制御装置４と、入ハイウェイバスＢＵＳｉ（入力ハイウェイ）に接続される送信ハイウェイ番号ＳＨＷ０〜ＳＨＷ３からなる４本の送信ハイウェイＳＨＷおよび出ハイウェイバスＢＵＳｏ（出力ハイウェイ）に接続される受信ハイウェイ番号ＲＨＷ０〜ＲＨＷ３からなる４本の受信ハイウェイＲＨＷに接続される通話路モジュール５から構成する。
【００３２】
通話路モジュール５は、パッケージ番号０〜７の８枚の通話路系パッケージ８を搭載する搭載エリアを備えるとともに、各通話路系パッケージ８に搭載するそれぞれ最大３２個の通話回路９の搭載エリアを備える。
【００３３】
送信ハイウェイ番号ＳＨＷ０〜ＳＨＷ３の送信ハイウェイＳＨＷおよび受信ハイウェイ番号ＲＨＷ０〜ＲＨＷ３の受信ハイウェイＲＨＷは、それぞれ送信ハイウェイ番号ＳＨＷ０と受信ハイウェイ番号ＲＨＷ０、ＳＨＷ１とＲＨＷ１、ＳＨＷ２とＲＨＷ２およびＳＨＷ３とＲＨＷ３がペアとなり、パッケージ番号０〜７の通話路系パッケージ８に割当てる。
【００３４】
送信ハイウェイ番号ＳＨＷ０と受信ハイウェイ番号ＲＨＷ０は、パッケージ番号０と１の２枚の通話路系パッケージ８、送信ハイウェイ番号ＳＨＷ１と受信ハイウェイ番号ＲＨＷ１は、パッケージ番号２と３の２枚の通話路系パッケージ８、送信ハイウェイ番号ＳＨＷ２と受信ハイウェイ番号ＲＨＷ２は、パッケージ番号４と５の２枚の通話路系パッケージ８および送信ハイウェイ番号ＳＨＷ３と受信ハイウェイ番号ＲＨＷ３は、パッケージ番号６と７の２枚の通話路系パッケージ８に割当てる。
【００３５】
また、１本の送信ハイウェイＳＨＷおよび１本の受信ハイウェイＲＨＷは、それぞれタイムスロット番号ＴＳ０〜ＴＳ６３のタイムスロットＴＳを備え、１枚の通話路系パッケージ８に搭載される最大３２個の通話回路の送話回路および受話回路に、それぞれ１タイムスロットＴＳを割当てる。したがって、６４のタイムスロットＴＳを有する１ハイウェイで最大３２個の通話回路を搭載する通話路系パッケージ８の２枚をカバーする。なお、１タイムスロットＴＳは、１電話回線や１チャネルに相当し、１タイムスロットＴＳが割当てられる通話回路は、１台の電話機が収容される。
【００３６】
図７はハイウェイと通話路系パッケージの関係図である。図７において、１ハイウェイＨＷは、タイムスロット番号ＴＳ０〜ＴＳ６３の６４タイムスロットＴＳを備え、１タイムスロットＴＳで１通話回路を担当するので、最大３２個の通話回路を搭載可能な１通話路系パッケージには、タイムスロット番号ＴＳ０〜ＴＳ３１のタイムスロットＴＳが割当てられることになる。
【００３７】
したがって、１ハイウェイＨＷは、２個の通話路系パッケージをカバーすることになり、パッケージ番号０〜７の８枚の通話路系パッケージ８が搭載される通話路モジュール５には、送信ハイウェイ番号ＳＨＷ０〜ＳＨＷ３の４本の送信ハイウェイＳＨＷおよび受信ハイウェイ番号ＲＨＷ０〜ＲＨＷ３の４本の受信ハイウェイＲＨＷで賄うことができる。
【００３８】
電子交換機１の電源投入時、パッケージ番号０〜７の通話路系パッケージ８および通話路制御装置４から制御装置２へのイニシャル要求、イニシャル要求に対する制御装置２から各通話路系パッケージ８および通話路制御装置４への初期設定情報は、制御線ＬＣを介して伝送する。
【００３９】
通話路制御装置４は、ハイウェイ選択手段６および基本通話系パッケージ７を備える。ハイウェイ選択手段６は、送信ハイウェイ番号ＳＨＷ０〜ＳＨＷ３の４本の送信ハイウェイＳＨＷおよび受信ハイウェイ番号ＲＨＷ０〜ＲＨＷ３の４本の受信ハイウェイＲＨＷに接続し、パッケージ番号０〜７の通話路系パッケージ８が未搭載の送信ハイウェイＳＨＷおよび送信ハイウェイＳＨＷを検出して選択ずる。
【００４０】
基本通話系パッケージ７は、電子交換機１に基本搭載される必須のＰＢ受信器などの回路を備え、ハイウェイ選択手段６が選択した送信ハイウェイＳＨＷおよび受信ハイウェイＲＨＷと送信ハイウェイＳＨＷｘおよび受信ハイウェイＲＨＷｘを介して接続する。なお、基本通話系パッケージ７に搭載される回路は、通話路系パッケージ８の通話回路の数個分なので、例えば４回路の場合には、送信ハイウェイ番号ＳＨＷ０〜ＳＨＷ３の送信ハイウェイＳＨＷおよび受信ハイウェイ番号ＲＨＷ０〜ＲＨＷ３の受信ハイウェイＲＨＷの中に、それぞれ１本の送信ハイウェイＳＨＷおよび受信ハイウェイＲＨＷに空きがあり、１本の送信ハイウェイＳＨＷおよび受信ハイウェイＲＨＷのそれぞれ６４タイムスロットＴＳの内、それぞれ４タイムスロットＴＳの空きがあれば、基本通話系パッケージ７を運用することができる。
【００４１】
通話路制御装置４は、電子交換機１の電源投入時に、パッケージ番号０〜７の通話路系パッケージ８から制御線ＬＣを介して制御装置２に伝送されるイニシャル要求を監視し、通話路モジュール５に搭載されない通話路系パッケージ８（例えば、パッケージ番号０）に割当てられたハイウェイ番号（例えば、送信ハイウェイ番号ＳＨＷ０および受信ハイウェイ番号ＲＨＷ０）の送信ハイウェイＳＨＷおよび受信ハイウェイＲＨＷを選択して送信ハイウェイＳＨＷｘおよび受信ハイウェイＲＨＷｘを介して基本通話路系パッケージ７に接続する。
【００４２】
また、通話路制御装置４は、電子交換機１の電源投入時に、パッケージ番号０〜７の通話路系パッケージ８からのイニシャル要求に対し、制御装置２から制御線ＬＣを介してパッケージ番号０〜７の通話路系パッケージ８に伝送される初期設定通知の情報を監視し、通話路モジュール５にパッケージ番号０〜７の全ての通話路系パッケージ８が搭載されている場合でも、初期設定情報に基づいて対象となるハイウェイ番号（例えば、送信ハイウェイ番号ＳＨＷ０および受信ハイウェイ番号ＲＨＷ０）から空きのタイムスロット番号（例えば、タイムスロット番号ＴＳ１６〜ＴＳ３１）を検出し、空きのタイムスロット番号（例えば、タイムスロット番号ＴＳ１６〜ＴＳ３１）が割当てられたハイウェイ番号（例えば、送信ハイウェイ番号ＳＨＷ０および受信ハイウェイ番号ＲＨＷ０）を選択して送信ハイウェイＳＨＷｘおよび受信ハイウェイＲＨＷｘを介して基本通話系パッケージ７に接続する。ただし、基本通話系パッケージ７の運用が４タイムスロットＴＳで賄える場合には、送信ハイウェイ番号ＳＨＷ０および受信ハイウェイ番号ＲＨＷ０と、４タイムスロットＴＳ（例えば、タイムスロット番号ＴＳ１６〜ＴＳ１９）を割当てる。
【００４３】
これにより、通話路モジュール５のパッケージ番号０〜７の通話路系パッケージ８に、未搭載の通話路系パッケージ８があり、割当てられたハイウェイに空きがある場合、または全通話路系パッケージ８が搭載されてハイウェイに空きがない場合でも、基本通話系パッケージ７に必要とされるタイムスロットＴＳに空きがある場合には、空きのハイウェイや、空きタイムスロットＴＳが属するハイウェイと空きタイムスロットＴＳを選択して基本通話系パッケージ７に割当てることができる。
【００４４】
ハイウェイ番号およびタイムスロット番号が割当てられた基本通話系パッケージ７は、制御線ＬＣを介して制御装置２にイニシャル要求を伝送し、制御装置２からイニシャル要求に対する初期設定通知の情報を制御線ＬＣを介して受信し、初期設定を完了して待機状態となる。
【００４５】
このように、この発明に係るハイウェイ選択手段６は、通話路モジュール５に搭載されない通話路系パッケージ８（例えば、パッケージ番号０）に割当てられたハイウェイ番号（例えば、送信ハイウェイ番号ＳＨＷ０および受信ハイウェイ番号ＲＨＷ０）のハイウェイ（送信ハイウェイＳＨＷおよび受信ハイウェイＲＨＷ）を選択して基本通話系パッケージ７に接続するので、基本通話系パッケージに必要とされるハイウェイを選択し、確保することができ、ハイウェイを有効に使用することができる。
【００４６】
また、この発明に係るハイウェイ選択手段６は、通話路モジュール５にパッケージ番号０〜７の全ての通話路系パッケージ８が搭載されている場合、対象となるハイウェイ番号（例えば、送信ハイウェイ番号ＳＨＷ０および受信ハイウェイ番号ＲＨＷ０）から空きのタイムスロット番号（例えば、タイムスロット番号ＴＳ１６〜ＴＳ１９）を検出し、検出した空きのタイムスロット番号（タイムスロット番号ＴＳ１６〜ＴＳ１９）が割当てられたハイウェイ番号（送信ハイウェイ番号ＳＨＷ０および受信ハイウェイ番号ＲＨＷ０）を選択して基本通話路系パッケージ７に接続するので、基本通話系パッケージに必要とされる空きタイムスロット数のハイウェイを選択し、確保することができ、タイムスロットを有効に使用することができる。
【００４７】
図２はこの発明に係るハイウェイ選択手段の一実施の形態要部ブロック構成図である。図２において、ハイウェイ選択手段６は、検出手段１０、選択制御手段１１、記憶手段１２、選択手段１３を備える。
【００４８】
検出手段１０は、電子交換機１の電源投入時に、パッケージ番号０〜７の通話路系パッケージ８から制御線ＬＣを介して制御装置２に伝送されるイニシャル要求を監視し、通話路モジュール５に搭載されない通話路系パッケージ８（例えば、パッケージ番号０）に割当てられたハイウェイ番号（例えば、送信ハイウェイ番号ＳＨＷ０および受信ハイウェイ番号ＲＨＷ０）の送信ハイウェイＳＨＷおよび受信ハイウェイＲＨＷを検出し、検出したハイウェイＳＨＷおよび受信ハイウェイＲＨＷを選択制御手段１１に供給する。
【００４９】
また、検出手段１０は、電子交換機１の電源投入時に、パッケージ番号０〜７の通話路系パッケージ８からのイニシャル要求に対し、制御装置２から制御線ＬＣを介してパッケージ番号０〜７の通話路系パッケージ８に伝送される初期設定通知の情報を監視し、通話路モジュール５にパッケージ番号０〜７の全ての通話路系パッケージ８が搭載されている場合でも、初期設定情報JIに基づいて対象となるハイウェイ番号（例えば、送信ハイウェイ番号ＳＨＷ０および受信ハイウェイ番号ＲＨＷ０）から空きのタイムスロット番号（例えば、タイムスロット番号ＴＳ１６〜ＴＳ３１）を検出し、検出したハイウェイ（例えば、送信ハイウェイ番号ＳＨＷ０および受信ハイウェイ番号ＲＨＷ０）の空きのタイムスロット番号（例えば、タイムスロット番号ＴＳ１６〜ＴＳ３１）を選択制御手段１１に供給する。
【００５０】
図３はこの発明に係る検出手段の一実施の形態要部ブロック構成図である。図３において、検出手段１０は、ハイウェイ検出手段１４およびタイムスロット検出手段１５を備え、ハイウェイ検出手段１４は、制御線ＬＣを介して伝送されるイニシャル要求から空きハイウェイ番号を検出し、タイムスロット検出手段１５は、初期設定情報JIから使用されているハイウェイ番号（例えば、送信ハイウェイ番号ＳＨＷ０および受信ハイウェイ番号ＲＨＷ０）の空きタイムスロット番号（例えば、タイムスロット番号ＴＳ１６〜ＴＳ３１）を検出する。
【００５１】
なお、タイムスロット検出手段１５が初期設定情報JIから使用されているハイウェイ番号の空きタイムスロット番号を検出する際には、ハイウェイ検出手段１４が空きタイムスロット番号が属する使用中のハイウェイ番号を検出する。
【００５２】
また、ハイウェイ検出手段１４がイニシャル要求から空きハイウェイ番号を検出する際には、タイムスロット検出手段１５が空きハイウェイの該当する空きタイムスロット番号を検出する。
【００５３】
このように、この発明に係る検出手段１０は、空きハイウェイ番号を検出するハイウェイ検出手段１４と、使用されているハイウェイ番号の空きタイムスロット番号を検出するタイムスロット検出手段１５とを備えたので、基本通話系パッケージ７に必要とされる空きタイムスロット番号とハイウェイ番号を特定することができ、基本通話系パッケージに割当てられるハイウェイおよびタイムスロットを自動的に確保することができる。
【００５４】
選択制御手段１１は、ハイウェイ選択手段６のハイウェイの選択を制御し、検出手段１０から供給される空きのハイウェイ番号（例えば、送信ハイウェイ番号ＳＨＷ０および受信ハイウェイ番号ＲＨＷ０）の制御情報ＪSを選択手段１３に提供する。
【００５５】
また、選択制御手段１１は、ハイウェイ選択手段６のタイムスロットの選択を制御し、選択制御手段１１から供給される使用中のハイウェイ番号（例えば、送信ハイウェイ番号ＳＨＷ０および受信ハイウェイ番号ＲＨＷ０）および空きタイムスロット番号（例えば、タイムスロット番号ＴＳ１６〜ＴＳ３１）を記憶手段１２に提供する。
【００５６】
さらに、選択制御手段１１は、記憶手段１２に格納されたハイウェイ番号に対応したタイムスロット番号のリスト情報ＪLを読み出し、基本通話系パッケージ７に必要とされる送信ハイウェイ番号および受信ハイウェイ番号と、タイムスロット番号を基本通話系パッケージ７に割当て、選択手段１３に割当てた送信ハイウェイ番号および受信ハイウェイ番号の送信ハイウェイＳＨＷおよび受信ハイウェイＲＨＷを送信ハイウェイＳＨＷｘおよび受信ハイウェイＲＨＷｘに接続する制御を行う。
【００５７】
記憶手段１２は、書替え可能なメモリで構成し、選択制御手段１１の制御により、検出手段１０から供給されるハイウェイ番号と空きタイムスロット番号のリスト情報ＪLを格納する。
【００５８】
図８はこの発明に係る記憶手段のリスト情報の一実施の形態イメージ図である。図８において、リスト情報ＪLは、ハイウェイ選択手段６が検出したハイウェイ番号と空きタイムスロット番号の一覧を表わし、備考に記載した状態で、送信ハイウェイ番号ＳＨＷ０〜ＳＨＷ３および受信ハイウェイ番号ＲＨＷ０〜ＲＨＷ３の空きタイムスロットＴＳ番号を表わす。
【００５９】
パッケージ番号０〜７の通話路系パッケージ８に全て３２個の通話回路が搭載されない限り、例えば、基本通話系パッケージ７に必要とされるタイムスロット数が４個のような場合には、基本通話系パッケージ７に割当てる送信ハイウェイ番号ＳＨＷ０〜ＳＨＷ３および受信ハイウェイ番号ＲＨＷ０〜ＲＨＷ３と、タイムスロット番号の組合せは何通りもあり、十分確保することができる。
【００６０】
また、パッケージ番号０〜７の通話路系パッケージ８に全て３２個の通話回路が搭載されるような場合でも、予め基本通話系パッケージ７に割当てるタイムスロット数（例えば、４スロット）と、送信ハイウェイＳＨＷおよび受信ハイウェイＲＨＷ（例えば、送信ハイウェイ番号ＳＨＷ３および受信ハイウェイ番号ＲＨＷ３）を設定することで、割当てを確保することができる。
【００６１】
選択手段１３は、送信ハイウェイ番号ＳＨＷ０〜ＳＨＷ３の４本の送信ハイウェイＳＨＷおよび受信ハイウェイ番号ＲＨＷ０〜ＲＨＷ３の４本の受信ハイウェイＲＨＷを取込み、選択制御手段１１から供給される制御情報ＪSに基づいて送信ハイウェイＳＨＷおよび受信ハイウェイＲＨＷを選択し、送信ハイウェイＳＨＷｘおよび受信ハイウェイＲＨＷｘを介して基本通話系パッケージ７に接続する。
【００６２】
図４はこの発明に係る選択手段の一実施の形態要部ブロック構成図である。図４において、選択手段１３は、送信ハイウェイ選択手段１６および受信ハイウェイ選択手段１７を備える。
【００６３】
送信ハイウェイ選択手段１６は、スイッチング回路などで構成し、送信ハイウェイ番号ＳＨＷ０〜ＳＨＷ３の送信ハイウェイＳＨＷと基本通話系パッケージ７が接続される送信ハイウェイＳＨＷｘに接続し、選択制御手段１１から提供される制御情報ＪSに基づいて送信ハイウェイＳＨＷｘと送信ハイウェイ番号ＳＨＷ０〜ＳＨＷ３の選択された空き送信ハイウェイＳＨＷまたは空きタイムスロットＴＳの送信ハイウェイＳＨＷを接続する。
【００６４】
受信ハイウェイ選択手段１７は、スイッチング回路などで構成し、受信ハイウェイ番号ＲＨＷ０〜ＲＨＷ３の受信ハイウェイＲＨＷと基本通話系パッケージ７が接続される受信ハイウェイＲＨＷｘに接続し、選択制御手段１１から提供される制御情報ＪSに基づいて受信ハイウェイＲＨＷｘと受信ハイウェイ番号ＲＨＷ０〜ＲＨＷ３の選択された空き受信ハイウェイＲＨＷまたは空きタイムスロットＴＳの受信ハイウェイＲＨＷを接続する。
【００６５】
なお、送信ハイウェイＳＨＷと受信ハイウェイＲＨＷは、パッケージ番号０〜７の通話路系パッケージ８にペアで割当てられるので、送信ハイウェイ選択手段１６が送信ハイウェイ番号ＳＨＷ０を選択する場合には、受信ハイウェイ選択手段１７も受信ハイウェイ番号ＲＨＷ０を選択することになる。
【００６６】
このように、この発明に係る選択手段１３は、送信ハイウェイ（送信ハイウェイ番号ＳＨＷ０〜ＳＨＷ３）を選択する送信ハイウェイ選択手段１６と、受信ハイウェイ（受信ハイウェイ番号ＲＨＷ０〜ＲＨＷ３）を選択する受信ハイウェイ選択手段１７を備えたので、複数の送信ハイウェイおよび複数の受信ハイウェイから基本通話系パッケージ７が接続するハイウェイを選択して接続することができ、ハイウェイを通話路系パッケージ８と兼用してハイウェイの有効利用を図ることができる。
【００６７】
また、この発明に係るハイウェイ選択手段６は、空きのハイウェイ番号（送信ハイウェイ番号ＳＨＷ０〜ＳＨＷ３、受信ハイウェイ番号ＲＨＷ０〜ＲＨＷ３）および空きのタイムスロット番号（ＴＳ０〜ＴＳ６４）を検出する検出手段１０、検出手段１０が検出したハイウェイ番号およびタイムスロット番号に基づいて送信ハイウェイおよび受信ハイウェイを選択する選択手段１３、検出手段１０が検出した空きのハイウェイ番号および空きのタイムスロット番号を記憶する記憶手段１２、選択の動作およびシーケンス動作を制御する選択制御手段１１を備えたので、基本通話系パッケージ７に必要とされる空きタイムスロット数があれば、基本通話系パッケージ７の接続されるハイウェイならびにタイムスロットを固定することなく、自動的に選択することができ、各通話路系パッケージ８へ搭載する通話回路数を自由に設定して使い勝手の良さをアピールすることができる。
【００６８】
次に、通話路制御装置４が通話路モジュール５内の空きハイウェイや空きタイムスロットを検索して基本通話系パッケージ７に割当てるシーケンスについて説明する。図５はこの発明に係る通話路制御装置の空きハイウェイ検索の一実施の形態シーケンス図である。図５において、図１に示す電子交換機１の電源投入時、制御装置２、通話路制御装置４およびパッケージ番号０〜７の通話路系パッケージ８は、電源ＯＮとなると、再開処理が実行される。続いて、各通話路系パッケージ８は、制御装置２に対してイニシャル要求を通知する。
【００６９】
通話路制御装置４は、各通話路系パッケージ８からのイニシャル要求を監視し、通話路モジュール５に通話路系パッケージ８が搭載されていない搭載エリアが存在すると、搭載されない通話路系パッケージ８のイニシャル要求が制御装置２に通知されないので、イニシャル要求が通知されない通話路系パッケージ８の搭載エリアを空きエリアと判定する。
【００７０】
空きエリアには、送信ハイウェイ番号ＳＨＷ０〜ＳＨＷ３および受信ハイウェイ番号ＲＨＷ０〜ＲＨＷ３の送信ハイウェイＳＨＷおよび受信ハイウェイＲＨＷのいずれかが割当てられているので、通話路制御装置４は、自装置に搭載されている基本通話系パッケージ７のイニシャル要求を空きエリアを用いて制御装置２に通知する。
【００７１】
通話路制御装置４は、1)：イニシャル要求監視→2)：イニシャル要求無しを検出→3)：空きエリア判定→4)：基本搭載ＰＧＫ（基本通話系パッケージ７）のイニシャル要求のシーケンス動作を実行する。
【００７２】
つまり、通話路制御装置４は、空きエリアの送信ハイウェイＳＨＷ（例えば、送信ハイウェイ番号ＳＨＷ０）および受信ハイウェイＲＨＷ（例えば、受信ハイウェイ番号ＲＨＷ０）のハイウェイを基本通話系パッケージ７に割当て、送信ハイウェイＳＨＷｘおよび受信ハイウェイＲＨＷｘを介して基本通話系パッケージ７に接続するので、基本通話系パッケージ７の運用が可能になる。
【００７３】
図６はこの発明に係る通話路制御装置の空きタイムスロット検索の一実施の形態シーケンス図である。なお、通話路モジュール５には、パッケージ番号０〜７の全ての通話路系パッケージ８が搭載されているとする。この場合、通話路制御装置４は、イニシャル要求から空きエリアの検出ができない。
【００７４】
制御装置２は、パッケージ番号０〜７の全ての通話路系パッケージ８からイニシャル要求を受け付けると、それぞれの通話路系パッケージ８に対して初期設定情報ＪIを通知する。
【００７５】
初期設定情報ＪIには、各通話路系パッケージ８に割当てられたハイウェイ（送信ハイウェイ番号ＳＨＷ０〜ＳＨＷ３、受信ハイウェイ番号ＲＨＷ０〜ＲＨＷ３）と通話路系パッケージ８に搭載された通話回路９に割当てられたタイムスロット番号の情報が含まれているので、通話路制御装置４は、初期設定情報ＪIから自装置に搭載されている基本通話系パッケージ７に必要とされる空きタイムスロット数（タイムスロット番号）のハイウェイを検索し、検索した空きタイムスロット数（タイムスロット番号）のハイウェイを基本通話系パッケージ７に割当てた後に、イニシャル要求を制御装置２に通知する。
【００７６】
通話路制御装置４は、5)：初期設定内容（初期設定情報ＪI）監視→6)使用回路数判定→7)：空きエリア（ハイウェイとタイムスロット）判定→8)：基本搭載ＰＧＫ（基本通話系パッケージ７）のイニシャル要求のシーケンス動作を実行する。
【００７７】
つまり、通話路制御装置４は、空きエリアの送信ハイウェイＳＨＷ（例えば、送信ハイウェイ番号ＳＨＷ０）および受信ハイウェイＲＨＷ（例えば、受信ハイウェイ番号ＲＨＷ０）のハイウェイとタイムスロット番号（例えば、ＴＳ４８〜ＴＳ６３）を基本通話系パッケージ７に割当て、送信ハイウェイＳＨＷｘおよび受信ハイウェイＲＨＷｘを介して基本通話系パッケージ７に接続するので、基本通話系パッケージ７の運用が可能になる。
【００７８】
以上説明したように、この発明に係る通話路制御装置４は、電子交換機１に基本搭載される基本通話路系パッケージ７と、基本通話路系パッケージ７が使用するハイウェイを選択して接続するハイウェイ選択手段６とを備えたので、複数の通話路系パッケージ８に割当てられるハイウェイ（送信ハイウェイ番号ＳＨＷ０〜ＳＨＷ３、受信ハイウェイ番号ＲＨＷ０〜ＲＨＷ３）および通話回路に割当てられるタイムスロット（タイムスロット番号ＴＳ０〜ＴＳ６４）を監視し、必要なタイムスロット数のハイウェイを検出して基本通話路系パッケージ７に割当てることができ、ハイウェイの有効利用を実現することができる。
【産業上の利用可能性】
【００７９】
本発明に係る通話路制御装置は、通話路系パッケージに割当てられたハイウェイおよび通話回路に割当てられたタイムスロットを監視し、基本通話系パッケージに専用のハイウェイを設けず、必要とされるタイムスロット数のハイウェイを検出して基本通話系パッケージに割当て可能なものであり、ＰＢ受信器などの基本通話系パッケージが必須となるあらゆる電子交換機に適用することができる。
【図面の簡単な説明】
【００８０】
【図１】この発明に係る通話路制御装置が適用される電子交換機の一実施の形態ブロック構成図
【図２】この発明に係るハイウェイ選択手段の一実施の形態要部ブロック構成図
【図３】この発明に係る検出手段の一実施の形態要部ブロック構成図
【図４】この発明に係る選択手段の一実施の形態要部ブロック構成図
【図５】この発明に係る通話路制御装置の空きハイウェイ検索の一実施の形態シーケンス図
【図６】この発明に係る通話路制御装置の空きタイムスロット検索の一実施の形態シーケンス図
【図７】ハイウェイと通話路系パッケージの関係図
【図８】この発明に係る記憶手段のリスト情報の一実施の形態イメージ図
【符号の説明】
【００８１】
１    電子交換機
２    制御装置
３    時分割スイッチ
４    通話路制御装置
５    通話路モジュール
６    ハイウェイ選択手段
７    基本通話系パッケージ
８    通話路系パッケージ
９    通話回路
１０    検出手段
１１    選択制御手段
１２    記憶手段
１３    選択手段
１４    ハイウェイ検出手段
１５    タイムスロット検出手段
１６    送信ハイウェイ選択手段
１７    受信ハイウェイ選択手段
ＢＵＳｉ    入ハイウェイバス
ＢＵＳｏ    出ハイウェイバス
ＳＨＷ，ＳＨＷｘ    送信ハイウェイ
ＲＨＷ，ＲＨＷｘ    受信ハイウェイ
ＳＨＷ０〜ＳＨＷ３    送信ハイウェイ番号
ＲＨＷ０〜ＲＨＷ３    受信ハイウェイ番号
ＴＳ    タイムスロット
ＴＳ０〜ＴＳ６４    タイムスロット番号
ＬＣ    制御線
ＪS    制御情報
ＪI    初期設定情報
ＪL    リスト情報
【図１】
2006100946.tif 000003
【図２】
2006100946.tif 000004
【図３】
2006100946.tif 000005
【図４】
2006100946.tif 000006
【図５】
2006100946.tif 000007
【図６】
2006100946.tif 000008
【図７】
2006100946.tif 000009
【図８】
2006100946.tif 000010